(57)【要約】      （修正有）【課題】キャリア・アグリゲーション・ベースのワイヤレス通信において、特に、タイミング・アドバンス・グループ及び／又は時間調整タイマーの値を構成する方法を提供する。【解決手段】方法は、基地局で、セカンダリ・セルに対してタイミング・アドバンス・グループを構成し、セカンダリ・セルに対して時間調整タイマーの値を構成し、ユーザ機器の時間調整タイマーの値を構成し、ユーザ機器のタイミング・アドバンス・グループを構成する。【選択図】図１
2015181271.tif 000002
【特許請求の範囲】
【請求項１】
基地局で、セカンダリ・セルに対して時間調整タイマーの値を構成する方法であって、
−  無線リンク制御メッセージを介してユーザ機器に前記時間調整タイマーの前記値を送信するステップと、
−  物理的なランダム・アクセス手順に前記時間調整タイマーの前記値を含めて前記ユーザ機器に送信するステップと、
−  メディア・アクセス制御レイヤ制御信号に前記時間調整タイマーの前記値を含めて前記ユーザ機器に送信するステップとを具備する方法。
【請求項２】
−  前記セカンダリ・セルは前記基地局がタイミング・アドバンス・グループを構成する第１のセカンダリ・セルかどうかを決定するステップと、
−  前記セカンダリ・セルは前記基地局が前記タイミング・アドバンス・グループを構成する前記第１のセカンダリ・セルである場合に、前記セカンダリ・セルに対して前記時間調整タイマーの前記値を構成するステップとをさらに具備する請求項１に記載の方法。
【請求項３】
−  前記セカンダリ・セルの前記タイミング・アドバンス・グループのセカンダリ・セルがすべて解放されているかどうかを決定するステップと、
−  前記セカンダリ・セルがすべて解放されている場合に、前記時間調整タイマーの構成を解放するステップとをさらに具備する請求項２に記載の方法。
【請求項４】
前記時間調整タイマーの前記構成を解放するように前記ユーザ機器に指示するための命令を前記ユーザ機器に送信するステップをさらに具備する請求項３に記載の方法。
【請求項５】
前記時間調整タイマーの前記値が前記メディア・アクセス制御レイヤ制御信号で送信される場合、
論理チャネル識別子を使用して、前記時間調整タイマーを割り当てるためにメディア・アクセス制御レイヤ制御要素を識別するステップをさらに具備する請求項１に記載の方法。
【発明の詳細な説明】
【技術分野】
【０００１】
本開示は、キャリア・アグリゲーション・ベースのワイヤレス通信に関し、特に、タイミング・アドバンス・グループおよび／または時間調整タイマーの値を構成する方法に関する。
【背景技術】
【０００２】
現在、タイミング・アドバンス（ＴＡ）グループ（ＴＡグループ）の概念は、Ｒ１１において複数のＴＡ値をサポートするために受け入れられている。ＴＡグループでは、同じＴＡ値を共有するセル（プライマリ・セル（Ｐｃｅｌｌ）およびセカンダリ・セル（Ｓｃｅｌｌ）を含む）は、同じＴＡグループへとグループ化され、Ｐｃｅｌｌと同じＴＡ値を共有しないＳｃｅｌｌは、Ｐｃｅｌｌとは異なるＴＡグループへとグループ化される。さらに、同じＴＡ値を備えたＳｃｅｌｌは、同じＴＡグループへとグループ化される。ＴＡグループの導入により、各ＴＡグループは、ＴＡグループ識別子（ＴＡＧ  ＩＤ）を用いて識別しなければならない。したがって、どこでＴＡ識別子が識別されるか、ならびに、いつおよびどこでＴＡグループに対する時間調整タイマー（ＴＡＴ）の値が送信されるかに取り組むことが望ましい。
【０００３】
一部の提案では、Ｓｃｅｌｌが構成されているとき（たとえばＳｃｅｌｌがＵＥに追加されているときに）、または、ＭＡＣのアクティブ化の間に、ＴＡＧ  ＩＤを送信することが提案されている。大多数の構成シナリオにおいて、運用および管理（ＯＡＭ）コマンドを介してネットワーク展開特性を基地局が取得できるため、前述の２つの方式のどちらかがうまく機能することができる。中継器（特にその場限りの中継器）が存在すると、前述の方式は、ＴＡグループを再び割り当てるために、次の無線リソース制御（ＲＲＣ）接続の再構成またはＭＡＣアクティブ化を必要とする場合がある。その理由は、そのときに、基地局はＵＥの場所を認識していなかった、すなわち、基地局はＵＥが中継器にあるかどうかを認識していなかったため、基地局は、初期の再構成またはＭＡＣアクティブ化の間に正しいＴＡグループを割り当てていない場合があるからである。
【０００４】
たとえば、以下の２つのシナリオが検討される。
【０００５】
第１のシナリオでは、基地局は、ＵＥが中継器の有効範囲にあり、Ｓｃｅｌｌに対して新しいＴＡグループを割り当てると想定する。
【０００６】
第２のシナリオでは、基地局は、ＵＥが中継器の有効範囲にないと想定し、基地局は、Ｓｃｅｌｌに対して既存のＴＡグループを割り当てる。
【０００７】
第１のシナリオについて、ＵＥが中継器の有効範囲にない場合、基地局は、ＵＥのＳｃｅｌｌに対して既存のＴＡグループを再び割り当てなければならない場合があるため、次のＲＲＣまたはＭＡＣシグナリングが必要である。
【０００８】
第２のシナリオについて、ＵＥが中継器の有効範囲にある場合、基地局は、ＵＥが中継器の有効範囲にあることを検出し、ユーザ機器からパイロットを受信するまで再び割り当てられる特定の既存のＴＡグループを認識しない。
【０００９】
いつ／どこでＳｃｅｌｌだけを含むＴＡグループのＴＡＴ値を送信または解放するかという問題について今まで提案はなされていない。しかし、ＴＡグループがＰｃｅｌｌを含む場合、Ｐｃｅｌｌが確立されると（すなわち、ＲＲＣ接続の確立または再確率の間）、またはリリース１０（Ｒｅｌ−１０）に記述されているようにＰｃｅｌｌが変更されると、ＴＡＴ値が送信される。
【発明の概要】
【課題を解決するための手段】
【００１０】
本発明の第１の態様によると、基地局で、セカンダリ・セルに対してタイミング・アドバンス・グループを構成する方法が提供され、方法は、ＩＩ１．セカンダリ・セルを通じてユーザ機器のランダム・アクセス手順をトリガーするステップと、ＩＩ２．セカンダリ・セルを通じたユーザ機器のランダム・アクセス手順の結果によりセカンダリ・セルを通じてユーザ機器のタイミング・アドバンス値を取得するステップと、ＩＩ３．タイミング・アドバンス値によりセカンダリ・セルが属する最終的なタイミング・アドバンス・グループを決定するステップとを含む。
【００１１】
本発明の第２の態様によると、基地局で、セカンダリ・セルに対してタイミング・アドバンス・グループを構成する方法が提供され、方法は、タイミング・アドバンス値がプライマリ・セルおよびセカンダリ・セルに対して有効かどうかを決定するステップと、タイミング・アドバンス値がプライマリ・セルに対して無効で、セカンダリ・セルに対して有効であり、セカンダリ・セルがアクティブ化されたセカンダリ・セルに属する場合、セカンダリ・セルに対して新しいタイミング・アドバンス・グループを作成するステップとを含む。
【００１２】
本発明の第３の態様によると、基地局で、セカンダリ・セルに対する時間調整タイマーの値を構成する方法が提供され、方法は、−ＲＲＣメッセージを介してユーザ機器に時間調整タイマーの値を送信するステップと、−物理的なランダム・アクセス手順に時間調整タイマーの値を含めてユーザ機器に送信するステップと、−メディア・アクセス制御レイヤ制御信号に時間調整タイマーの値を含めてユーザ機器に送信するステップとのいずれか１つを含む。
【００１３】
本発明の第４の態様によると、ユーザ機器の時間調整タイマーの値を構成する方法が提供され、方法は、−基地局から新しい時間調整タイマーの値を受信するステップ、−現在動作している時間調整タイマーがあるかどうかを決定するステップ、−現在動作している時間調整タイマーがある場合、現在動作している時間調整タイマーを無効にして、新しい時間調整タイマーを動作させるステップ、または現在動作している時間調整タイマーの動作の終了を待ち、終了の後に新しい時間調整タイマーを動作させるステップを含む。
【００１４】
本発明の第５の態様によると、ユーザ機器でタイミング・アドバンス・グループを構成する方法が提供され、方法は、−基地局から新しいタイミング・アドバンス・グループ識別子を受信するステップと、−ユーザ機器が現在属するタイミング・アドバンス・グループ識別子が新しいタイミング・アドバンス・グループ識別子に一致しているどうかを決定するステップと、−一致していない場合、現在属するタイミング・アドバンス・グループ識別子を新しいタイミング・アドバンス・グループ識別子に置き換えるステップとを含む。
【００１５】
本発明の解決策では、続くＲＲＣ接続の再構成を好ましくは不要にでき、それによってシグナリング・オーバヘッドがなくなり、対応するタイミング・アドバンス・グループをＳｃｅｌｌに対して迅速に構成することができる。他の機能、目的、および利点は、図面に関して限定を目的としない実施形態に関する以下の詳細な記述からより明白になるであろう。
【図面の簡単な説明】
【００１６】
【図１】本発明の実施形態による方法を示すフローチャートである。
【発明を実施するための形態】
【００１７】
図面の全体に渡って同一または同様の参照番号は、同一または同様のステップの機能またはデバイス／モジュールを示している。本発明で言及する「タイミング・アドバンス値」について、以下に簡単に記述する。
【００１８】
ユーザ機器の受信機は、基地局から受信されたダウンリンク送信と最初に同期された後に、ランダム・アクセス手順を介して初期のタイミング・アドバンス値を設定する。これには、ユーザ機器がランダム・アクセス・プリアンブル・シーケンスを送信することが必要であるため、基地局は、これによって必要なアップリンク伝送時間を推定することができ、基地局は、ランダム・アクセス応答（ＲＡＲ）メッセージで１１ビットの初期のタイミング・アドバンス・コマンドで応答する。
【００１９】
タイミング・アドバンスは、基地局でアップリンク信号の到着時の変動を妨げるために、各ユーザ機器に対して最初に設定された後に、絶えず更新する必要がある。これらの影響を排除するためのタイミング・アドバンス更新プロセスが閉ループ・メカニズムで実行される。このメカニズムでは、基地局は受信されたアップリンク伝送を測定し、以前の送信タイミングに対してその新しい送信タイミングを調整するように、ユーザ機器に指示するタイミング・アドバンス更新コマンドを送信する（同期されていないユーザ装置だけが、以前に受信されたダウンリンク・タイミングに対してそれらの送信タイミングを設定し、続く調整はすべて、最新のアップリンク送信タイミングに対して行われる）。
【００２０】
ＴＡグループの再割り当てによる、続くＲＲＣメッセージまたはＭＡＣ  ＣＥオーバヘッドに関する前述の問題に取り組むために、基地局がＰＲＡＣＨ手順でＴＡグループを再び割り当てることを可能にすることが提案されている。
【００２１】
＜ＴＡグループの割り当て＞
ＴＡグループの割り当てには、少なくとも以下の２つのシナリオがある。
【００２２】
第１のシナリオでは、基地局は、ネットワークの構成およびユーザ機器の場所の両方を明白に認識しているため、基地局は、各Ｓｃｅｌｌに対してＴＡグループを直接的に割り当てることができる。
【００２３】
第２のシナリオでは、基地局は、ネットワークの構成またはユーザ機器の特定の場所を認識していないため、基地局は、ＳｃｅｌｌのターゲットＴＡグループを正確に導き出すことができない。
【００２４】
第１のシナリオについて、基地局は、各Ｓｃｅｌｌに対してＳｃｅｌｌが属するＴＡグループを正確に決定することができる。しかし、第２のシナリオについて、基地局は、各Ｓｃｅｌｌが属するＴＡグループを直接的に予測することができない。１つの方法では、基地局は、以下の２ステップで実行することができるＰＲＡＣＨ手順に基づいてＳｃｅｌｌのＴＡグループを推測する。
【００２５】
ステップＳ１では、基地局は、Ｓｃｅｌｌを通じてＰＲＡＣＨ手順をトリガーし、アップリンク送信を保証するＴＡ値を取得する。また、
ステップＳ２では、基地局は、取得されたＴＡ値を基地局に予め格納されたそれぞれのＴＡ値と比較する。
【００２６】
取得されたＴＡ値が特定の既存のＴＡグループのＴＡ値に近い場合、すなわち、その間の差が事前に定めた範囲内にある場合、基地局は、対応するＳｃｅｌｌが既存のＴＡグループに属することを認識している。または、
取得されたタイミング・アドバンス値と、任意の既存のＴＡグループのＴＡ値との間の差が、事前に定めた範囲を超えることを基地局が見つけた場合、基地局は、Ｓｃｅｌｌが新しいＴＡグループに属することを認識するため、基地局は、Ｓｃｅｌｌに対してＴＡグループを新しく割り当てることができる。
【００２７】
基地局が、ネットワーク構成およびユーザ機器の場所を認識している第１のシナリオ、またはユーザ機器が、ネットワーク構成および／またはユーザ機器の場所を認識していない第２のシナリオは、以下の３つの状況に当てはまる可能性がある。
【００２８】
第１の状況：
Ｓｃｅｌｌ構成または媒体アクセス制御（ＭＡＣ）コマンドでは、以下の２つのＴＡグループＩＤ構成ステップが実行される。
ａ）ステップ１では、初期のＴＡグループＩＤは、新しいＳｃｅｌｌを構成するために使用されるＲＲＣメッセージに指定される、または初期のＴＡグループＩＤは、新しいＳｃｅｌｌに対して送信された第１のＭＡＣ  ＰＤＵに指定される。
ｂ）ステップ２では、（基地局によって検出される）初期のＴＡグループＩＤが正しくない場合、以下のステップがトリガーされる。
ｉ．ＰＲＡＣＨ手順は、Ｓｃｅｌｌを通じて実行され、基地局は、Ｓｃｅｌｌの必要なＴＡ値を他の既存のＴＡグループのＴＡ値と比較することによって、最終的なＴＡグループＩＤをそれに応じて推定することができる。
ｉｉ．必要な場合、基地局はダウンリンク（ＤＬ）メッセージに最終的なＴＡグループＩＤを含める。
【００２９】
これについては、以下の２つの態様でそれぞれ説明する。
１．コンテンションフリーの無線アクセス手順（ＣＲＦＡ）について、最終的なＴＡグループＩＤは、ランダム・アクセス応答（ＲＡＲ）メッセージに含まれる。
２．コンテンションベースの無線アクセス手順（ＣＢＲＡ）について、最終的なＴＡグループＩＤは、メッセージ４に含まれる。
【００３０】
第２の状況：
ＴＡグループの再構成：
ａ）基地局は、Ｓｃｅｌｌを通じてＰＲＡＣＨをトリガーし、ターゲットＴＡグループ識別子を決定する。
ｂ）基地局は、ＣＦＲＡモードでメッセージ２（つまり、ランダム・アクセス応答（ＲＡＲ）メッセージ）でターゲットのタイミング・アドバンス（ＴＡ）グループ識別子を運ぶ。または基地局は、ＣＢＲＡモードでメッセージ４でターゲットのタイミング・アドバンス・グループ識別子を運ぶ。
【００３１】
前述の第１の状況および第２の状況の両方は、以下の２つのステップとして要約することができる。
ステップ１では、基地局は、ＲＲＣメッセージを介して新しく構成されたＳｃｅｌｌに対して初期のＴＡグループを割り当てる。かつ
ステップ２では、基地局は、ＴＡグループに対して新しいＴＡグループを再び割り当て、たとえば、ＰＲＡＣＨ手順で、ユーザ機器に新しいＴＡグループを送信する。
【００３２】
前述の第１のステップおよび第２のステップの必要性および役割については、第１のシナリオおよび第２のシナリオについて以下にそれぞれ記述する。
【００３３】
第１のシナリオについて、基地局は、新しく構成されたＳｃｅｌｌがどのＴＡグループに属するかを明白に認識できるため、ステップ１で十分である。
【００３４】
第２のシナリオについて、基地局は、ユーザ機器の正しいアップリンク送信を保証するために、ステップ１でＳｃｅｌｌに対して新しいＴＡグループを割り当てることができる。次に、基地局は、新しいＳｃｅｌｌへの同様のアップリンク送信を用いる既存のＴＡグループがあるかどうかを決定するために、ステップ２で新しく割り当てられたＴＡ値を既存のＴＡグループのＴＡ値と比較する。該当しない場合、基地局は、Ｓｃｅｌｌが新しいＴＡグループに属し、以前にＳｃｅｌｌに対して割り当てられたＴＡグループが正しいということを認識している。該当する場合、基地局は、新しいＳｃｅｌｌが同様のアップリンク送信を用いるＴＡグループに属することを認識している。すなわち、ＴＡグループのＴＡ値と、ＴＡグループの新しく割り当てられたＴＡ値との間の差は、事前に定めた範囲内にある。事前に定めた範囲は、特定の実装課題に関係し、それぞれの製造の生産パラメータに関連するが、本発明の要点に関連性がないため、それらを繰り返し記述することはここでは避ける。したがって、基地局は、ＰＲＡＣＨ手順でユーザ機器に既存のＴＡグループ識別子を示す。たとえば、基地局は、ＣＦＲＡのＲＡＲメッセージにＴＡグループ識別子を挿入することができる。しかし、基地局は、ＣＢＲＡのメッセージ４にＴＡグループ識別子を含めなければならない。その理由は、メッセージ４がコンテンションベースのランダム・アクセス方式で送信された場合のみ、基地局は、どのユーザ機器がランダム・アクセス手順を実行したかを決定することができるためである。
【００３５】
前述の説明から明白なように、このシナリオではＴＡグループを割り当てるためにＰＲＡＣＨは要求されないため、ステップ１は第１のシナリオに都合がよい。ステップ２でＰＲＡＣＨ手順に基づいて正しいＴＡグループ識別子が決定されるため、ステップ１は、第２のシナリオに必要ではない場合がある。しかし、ステップ１は、また、第２のシナリオにとっても都合がよい。その理由は、第２のシナリオにおいて、そのようなシナリオのステップ１においてＳｃｅｌｌの新しい状態は回避される、すなわち、Ｓｃｅｌｌは構成されるが、そこに割り当てられたＴＡグループはないからである。
【００３６】
第３の状況：
ＴＡグループの変更は、以下において第３の状況で考慮されるだろう。
【００３７】
ＴＡグループにおいて変更がある状況について、Ｓｃｅｌｌの進行中のアップリンク送信がもはや有効ではないと基地局が検出した場合、たとえば、基地局が、所定の期間、Ｓｃｅｌｌを通じてアップリンク・データ送信を受信していない場合、基地局は、Ｓｃｅｌｌが現在のＴＡグループに属し続けないものと見なす。したがって、基地局は、Ｓｃｅｌｌを削除するか同じ帯域を通じて新しいＳｃｅｌｌを追加し、次にＴＡグループを割り当てるために前述のＰＲＡＣＨ手順を実行する。
【００３８】
あるいは、基地局は、必要なＴＡ値を取得し、正しいＴＡグループをさらに決定するために、Ｓｃｅｌｌを通じてＰＲＡＣＨ手順を直接的にトリガーすることができる。
【００３９】
前述の２つの状況について、最終的なＴＡグループ識別子は、また、ＰＲＡＣＨ手順を介してユーザ機器に送信される。たとえば、ＣＦＲＡのＲＡＲおよびＣＢＲＡのメッセージ４で送信される。ユーザ機器は、ＴＡグループ識別子がＲＡＲまたはメッセージ４を介して提供されたときに、ＰＲＡＣＨを用いてＳｃｅｌｌのＴＡグループ識別子が変更されたことを認識している。あるいは、基地局が対応するＳｃｅｌｌのターゲットＴＡグループを明確に認識することができる場合、基地局は、Ｓｃｅｌｌの新しいＴＡグループ識別子を構成するためにＲＲＣメッセージを使用することができる。
【００４０】
Ｐｃｅｌｌグループは変更されないことが合意されているため、特に、そのような状況３Ａが発生する場合がある。
【００４１】
状況３Ａ：
＜Ｐｃｅｌｌグループの変更＞
基地局は、ＴＡ値が、たとえば、アップリンク送信条件により、Ｐｃｅｌｌに対して無効化されていることを検出する、たとえば、基地局は、所定の期間、Ｓｃｅｌｌを通じてアップリンク・データ送信を受信していない。しかし、基地局は、ＴＡ値が、Ｐｃｅｌｌが属するＰｃｅｌｌグループの任意の他のアクティブなＳｃｅｌｌに対して無効化されていることを検出しない、すなわち、ＴＡは、ＰｃｅｌｌグループのＳｃｅｌｌに対してまだ有効である。すなわち、基地局は、Ｐｃｅｌｌグループの任意のアクティブなＳｃｅｌｌの一時的な変動を検出しない。
【００４２】
Ｐｃｅｌｌについて、基地局は、Ｐｃｅｌｌの動作を保証するために新しいＴＡ値を取得するためにＰｃｅｌｌを通じてＰＲＡＣＨをトリガーするものとする。
【００４３】
現在結論づけたように、Ｐｃｅｌｌを保証するＴＡグループのＩＤは変更されず、また基地局は、任意のアクティブなＳｃｅｌｌの一時的な変動を検出せず、新しいＰＲＡＣＨ手順がＰｃｅｌｌに対してトリガーされた後に得られた新しいＴＡ値は、これらのアクティブなＳｃｅｌｌに対して無効化される。次に、基地局は、新しいＴＡグループにすべてのＳｃｅｌｌの新しいＴＡグループ識別子を割り当てることを含め（すなわち、まだ有効なＴＡ値を備えたアクティブなＳｃｅｌｌ）、新しいタイミング・アドバンス・グループに、まだ有効なそれらのオリジナルのＴＡ値を有するこれらのアクティブなＳｃｅｌｌを配置する。オリジナルのＴＡ値は、新しいＴＡグループのこれらのＳｃｅｌｌによって、それらの使用を継続することができる。オプションとして、新しいＰＲＡＣＨ手順は、対応するＴＡ値を取得するために新しいＴＡグループのすべてのＳｃｅｌｌに対してそれぞれ開始することができる。もちろん、ＰＲＡＣＨ手順を介して取得されたＴＡ値は、以前のＴＡ値と同じである可能性が非常に高い場合がある。
【００４４】
前述の実施形態は、アクティブなＳｃｅｌｌのプロセスだけについて記述しているが、本発明は、またオリジナルのＰｃｅｌｌグループのすべてのＳｃｅｌｌに同様に適用することができる。
【００４５】
＜Ｓｃｅｌｌだけを含むＴＡグループのＴＡＴ値＞
Ｒ１１について、相互に独立したＴＡＴが、それぞれのＴＡグループに対して動作され、異なるＴＡＴ値を各ＴＡグループに対して構成することができる。したがって、重要な課題は、各ＴＡグループに対するＴＡＴ値を構成する方法であり、もう１つの課題は、ＴＡグループに対するＴＡＴ値を再構成する方法である。
【００４６】
Ｒ１ＯのＴＡＴ動作原理では、ユーザ機器がＴＡまたはＴＡＣを受信したときに、ＴＡＴが開始または再開されるものとする。これは、ユーザ機器がＴＡを取得する前にＴＡＴ値が事前構成されるだろうということを意味する。そうでない場合、Ｒ１Ｏの原理は遵守されない場合がある。ＴＡグループの概念を考慮して、Ｓｃｅｌｌだけを含むＴＡグループに、いつＴＡＴ値を提供または解放するべきかに関して、以下の原理が遵守されるものとする。
【００４７】
第１の原理では、第１のＳｃｅｌｌがＴＡグループに対して割り当てられる場合、ＴＡＴの値が構成されるものとする。
【００４８】
第２の原理では、ＴＡＴの再構成はＲ１１でサポートされる。Ｓｃｅｌｌが既存のＴＡグループに追加される場合、ＴＡＴ値は、必ずしも構成されなくてもよい（もちろん、ＴＡＴ値における変更は、時間調整タイマーが現在運転中かどうかに関係なく提供することができる）。また、ユーザ機器がＴＡグループのＴＡＴ値またはＴＡグループに属するＳｃｅｌｌのＴＡＴ値を受信し、ＴＡグループに対してＴＡＴ値が構成されている場合、既存のＴＡＴ値は、新しいＴＡＴ値に置き換えられる。
【００４９】
第３の原理では、グループの最後のＳｃｅｌｌが解放された場合、ユーザ機器および基地局の両方は、明示的または暗黙的なシグナリングを介してＴＡＴ構成を解放する。ここで、明示的なシグナリングは、基地局がシグナリングを送信し、次に、基地局から受信されたシグナリングに応じてユーザ機器がＴＡＴ構成を解放することを意味する。また、暗黙のシグナリングは、ユーザ機器による自動的な解放を意味する。
【００５０】
Ｓｃｅｌｌだけを含むＴＡグループのＴＡＴ値をどこに送信するべきかについて、以下の２つのオプションがある。
【００５１】
ａ）Ｓｃｅｌｌ／ＴＡグループを構成するＲＲＣメッセージの使用
ｉ．Ｓｃｅｌｌ／ＴＡグループを構成するためにＲＲＣメッセージにＴＡＴ値情報要素（ＩＥ）が設計される。
ｉｉ．ＴＡグループに最初に構成されるＳｃｅｌｌに対してＴＡＴ値が強制的に構成される。
ｉｉｉ．ＴＡＴ値ＩＥが、ＴＡグループで最初に構成されるＳｃｅｌｌを構成するために使用されず、他のＳｃｅｌｌを構成するために使用される場合、ＴＡグループのすべてのＳｃｅｌｌの現在ＴＡＴ値は、新しいＴＡＴ値に置き換えられる。
ｉｖ．ＴＡグループに対応するＴＡ値が取得された後、ＴＡＴが開始される。
【００５２】
ｂ）ＴＡグループのＰＲＡＣＨ手順に含まれているＴＡＴ値
ｉ．ＣＦＲＡおよびＣＢＲＡに対して、ＲＡＲメッセージまたはメッセージ４がそれぞれ使用される。
ｉｉ．Ｓｃｅｌｌを通じたＰＲＡＣＨ手順について、ＴＡＴ値がＲＡＲメッセージまたはメッセージ４のメッセージに含まれていて、ＳｃｅｌｌはＴＡグループの第１のＳｃｅｌｌ以外である場合、Ｓｃｅｌｌの以前のＴＡＴ値は、新しいＴＡＴ値に置き換えられる。
【００５３】
ｃ）たとえばＭＡＣアクティブ化におけるＭＡＣ ＣＥの使用
この設計では、新しいＭＡＣ  ＣＥは、対応するＴＡグループに対してＴＡＴ値を割り当てるように設計されている。したがって、新しいロジック・チャネル識別子（ＬＣＩＤ）は、ＴＡＴを割り当てる目的でＭＡＣ  ＣＥを識別することが要求される。新しいＭＡＣ  ＣＥは、ＴＡＴ値および対応するＴＡグループを明白に識別するものとする。
【００５４】
ｄ）時間調整タイマー（ＴＡＴ）の動作で受信されたＴＡＴ値のプロセス
ＴＡグループの時間調整タイマー（ＴＡＴ）が運転中であり、ＴＡグループに関係する他のＴＡＴ値は、ユーザ機器によって受信される場合、ユーザ機器は、新しいＴＡＴ値に基づいて現在のＴＡＴを再開する。もちろん、他の理由のために、たとえば、ＴＡコマンド（ＴＡＣ）を受信したときに、ＴＡＴがリセットされた後、新しいＴＡＴ値を代わりに使用することができる。
【００５５】
本発明の実施形態について上に記述したが、本発明は、特定のシステム、デバイス、およびプロトコルに限定されるものではなく、当業者は、本発明の範囲から逸脱することなく、様々な変形形態または変更を行うことができる。
【００５６】
添付した特許請求の範囲とともに、記述、開示、および図面を見直すことで、当業者は、開示された実施形態に対する他の変形形態を認識し実施することができる。特許請求の範囲では、「含む（ｃｏｍｐｒｉｓｅ／ｃｏｍｐｒｉｓｉｎｇ）」という用語は他の要素（複数可）およびステップ（複数可）を除外するものではなく、「１つの（ａ）」または「１つの（ａｎ）」という用語は複数を排除するものではない。本発明において、「第１」、「第２」などの用語は、名前を示すが順序関係を表すものではない。本発明の実際的な用途では、要素は、請求項に言及された複数の技術的な特徴の機能を実行することができる。特許請求の範囲に記載の参照番号は、本発明の範囲を制限するものとして解釈されないものとする。
【図１】
2015181271.tif 000003